(57)【要約】【課題】実際に包装テープを作成して包装を行うより前に包装後の姿を視覚的に確認でき、操作者の利便性を向上する。【解決手段】表示部１７を備えた操作端末２のＣＰＵ１２は、箱体Ｐ１の外形形状及び寸法の指定を受け付け、箱体Ｐ１を包装する１つの被印字テープＴの包装態様の指定を受け付け、箱体Ｐ１の外観イメージに被印字テープＴの外観イメージを加え被印字テープＴが箱体Ｐ１を包装したように仮想的に３次元描画して表示部１７に表示し、被印字テープＴのブロックＢＬ１〜３における印字内容を可変に決定する操作者の決定操作を受け付け、ブロックＢＬ１〜３中の印字オブジェクトに関する各種設定を決定し、３次元描画中の被印字テープＴの外観イメージに対し印字内容の上記各種設定に沿った外観イメージを加え、印字形成後の被印字テープＴが箱体Ｐ１を包装したように仮想的に３次元描画して表示部１７に表示する。【選択図】図７
2015207204.tif 000002
【特許請求の範囲】
【請求項１】
所定の外形形状を備えた包装対象物を包装する包装テープへ印字形成する印字内容に対する所定の操作を実行可能に構成されるとともに、表示手段と、演算手段と、を備えた操作端末の前記演算手段に対し、
前記包装対象物の外形形状及び寸法の指定を受け付ける、形状・寸法受付手順と、
前記包装対象物を包装する、１つの前記包装テープの包装態様の指定を受け付ける、態様指定受付手順と、
前記形状・寸法受付手順で受け付けた前記外形形状及び寸法で構築される前記包装対象物の外観イメージに、態様指定受付手順で指定を受け付けた前記包装態様とされた前記包装テープの外観イメージを加え、前記包装テープが前記包装対象物を包装したように仮想的に３次元描画して前記表示手段に表示する、第１イメージ表示手順と、
前記第１イメージ表示手順での前記３次元描画を表示した状態で、前記包装テープにおいてテープ長さ方向に配列される少なくとも１つのブロックにおける印字内容を可変に決定する、操作者の決定操作を受け付ける印字内容受付手順と、
前記態様指定受付手順で指定を受け付けた前記包装態様に基づき、前記印字内容受付手順で受け付けた前記印字内容の決定操作に対応した前記ブロック中の印字オブジェクト、に関する各種設定を決定するオブジェクト設定決定手順と、
前記第１イメージ表示手順での前記３次元描画中の前記包装テープの外観イメージに対し、前記印字内容受付手順で決定操作を受け付けた前記印字内容の、前記オブジェクト設定決定手順で決定された前記各種設定に沿った外観イメージを加え、印字形成後の前記包装テープが前記包装対象物を包装したように仮想的に３次元描画して前記表示手段に表示する第２イメージ表示手順と、
を実行させるための、包装表示プログラム。
【請求項２】
請求項１記載の包装表示プログラムにおいて、
前記印字内容受付手順は、
前記第１イメージ表示手順での前記３次元描画を表示した状態で、操作者による、前記ブロック内に配置する印字オブジェクトの操作入力を受け付け、
前記オブジェクト設定決定手順は、
前記印字内容受付手順で操作入力を受け付けた前記印字オブジェクトの配置位置、印字形成向き、印字サイズ、の少なくとも１つを前記各種設定として決定する
ことを特徴とする包装表示プログラム。
【請求項３】
請求項１記載の包装表示プログラムにおいて、
前記印字内容受付手順は、
前記第１イメージ表示手順での前記３次元描画を表示した状態で、操作者による、前記ブロック内に配置する定型印字の選択入力を受け付け、
前記オブジェクト設定決定手順は、
前記印字内容受付手順で選択入力を受け付けた前記定型印字の配置位置、印字形成向き、印字サイズ、の少なくとも１つを前記各種設定として決定する
ことを特徴とする包装表示プログラム。
【請求項４】
請求項２又は請求項３記載の包装表示プログラムにおいて、
前記第２イメージ表示手順は
前記印字形成後の前記包装テープが前記包装対象物を包装した３次元描画に加え、前記包装対象物を包装していない状態での前記印字形成後の前記包装テープの単独の姿を仮想的に描画して併せて前記表示手段に表示する
ことを特徴とする包装表示プログラム。
【発明の詳細な説明】
【技術分野】
【０００１】
本発明は、包装物の包装に係わる所定の処理を行う操作端末において実行される、包装表示プログラムに関する。
【背景技術】
【０００２】
包装対象物を包装する包装テープへの印字形成を行う印刷装置が知られている。この従来技術では、例えば円筒形状を備えた包装対象物を包装する包装テープに対し、印字形成が行われる。その際、包装対象物の円筒形状を一周させて巻回させた包装テープの両端部同士が、互いに粘着することで、包装が行われる。
【先行技術文献】
【特許文献】
【０００３】
【特許文献１】特開２０１２−１１６０５６号公報
【発明の概要】
【発明が解決しようとする課題】
【０００４】
しかしながら、上記従来技術では、包装テープによって包装対象物を包装したときにどのような態様となるか（包装テープに形成された印字内容がどのような姿となっているか）は、実際に包装を行ってみないと分からなかった。
【０００５】
本発明の目的は、実際に包装テープを作成して包装を行うより前に包装後の姿を視覚的に確認でき、操作者の利便性を向上できる、包装表示プログラムを提供することにある。
【課題を解決するための手段】
【０００６】
上記目的を達成するために、本願発明は、所定の外形形状を備えた包装対象物を包装する包装テープへ印字形成する印字内容に対する所定の操作を実行可能に構成されるとともに、表示手段と、演算手段と、を備えた操作端末の前記演算手段に対し、前記包装対象物の外形形状及び寸法の指定を受け付ける、形状・寸法受付手順と、前記包装対象物を包装する、１つの前記包装テープの包装態様の指定を受け付ける、態様指定受付手順と、前記形状・寸法受付手順で受け付けた前記外形形状及び寸法で構築される前記包装対象物の外観イメージに、態様指定受付手順で指定を受け付けた前記包装態様とされた前記包装テープの外観イメージを加え、前記包装テープが前記包装対象物を包装したように仮想的に３次元描画して前記表示手段に表示する、第１イメージ表示手順と、前記第１イメージ表示手順での前記３次元描画を表示した状態で、前記包装テープにおいてテープ長さ方向に配列される少なくとも１つのブロックにおける印字内容を可変に決定する、操作者の決定操作を受け付ける印字内容受付手順と、前記態様指定受付手順で指定を受け付けた前記包装態様に基づき、前記印字内容受付手順で受け付けた前記印字内容の決定操作に対応した前記ブロック中の印字オブジェクト、に関する各種設定を決定するオブジェクト設定決定手順と、前記第１イメージ表示手順での前記３次元描画中の前記包装テープの外観イメージに対し、前記印字内容受付手順で決定操作を受け付けた前記印字内容の、前記オブジェクト設定決定手順で決定された前記各種設定に沿った外観イメージを加え、印字形成後の前記包装テープが前記包装対象物を包装したように仮想的に３次元描画して前記表示手段に表示する第２イメージ表示手順と、を実行させることを特徴とする。
【０００７】
本願発明においては、包装対象物を包装テープで包装した姿が、仮想的に３次元描画されて表示される。また、その表示された状態で、当該包装テープにおける印字内容を操作者の意図する態様に変更しつつプレビューすることができる。
【０００８】
本願発明の包装表示プログラムが操作端末の演算手段で実行されると、まず、形状・寸法受付手順が行われる。すなわち、操作者が、包装対象物の外形形状（箱形、筒型、等）を指定するとともに、包装対象物の大きさの指定（幅・奥行き・高さ外径等の具体的な数値を入力したり、大・中・小等のおおざっぱな分類を選択する等）を行うことで、当該指定が受け付けられる。その後、操作者が包装テープによる包装態様（リボン結びを用いた包装、縦横に直交するように外周を一周させて梱包するような包装、筒の曲面に沿って一周させる包装、等）を指定すると、その指定が、態様指定受付手順で受け付けられる。これらの指定に基づき、第１イメージ表示手順において、上記指定された外形形状及び寸法の包装対象物を上記指定された包装態様の包装テープで包装した外観イメージが、仮想的に３次元描画されて表示手段で表示される。これにより、操作者は、まず、包装対象物を包装テープ（但し印字がまだなされていない状態）で包装した姿を、視覚的に認識して確認することができる。
【０００９】
その後、上記の姿が表示手段で表示された状態で、操作者が包装テープに設定されるブロックへの印字内容を指定する。具体的には、例えば操作者による、ブロック内に配置する印字オブジェクト（テキスト文字やシンボル等）の操作入力を受け付けたり、ブロック内に適用（配置）する定型印字（いわゆるテンプレート）の選択入力を受け付ける。なお、この指定は、後から適宜に変更可能に行われる（すなわち入力内容の変更や修正等のやり直しが可能である）。この操作者の印字内容の指定は、印字内容受付手順で受け付けられる。その後、上記受け付けた包装態様の指定に基づき、上記受け付けた印字内容に対応した、ブロック中の印字オブジェクト（テキスト文字やシンボル等）の各種設定（印字形成する位置や、搬送方向・搬送直交方向等の印字方向や、印字のフォントサイズ等）が、オブジェクト設定決定手順で決定される。そして、第２イメージ表示手順において、前述のように既に３次元描画されて表示されている上記包装対象物を包装した包装テープ上に、上記決定された各種設定に基づき形成される印字オブジェクトの外観イメージがさらに重畳して仮想的に３次元描画され、表示手段で表示される。これにより、操作者は、所望の印字がなされた包装テープを用いて包装対象物を包装した姿を、視覚的に認識して確認することができる。
【００１０】
以上説明したように、本願発明においては、操作者は、印字された包装テープで包装対象物を包装した姿を仮想的な３次元描画によって視覚的に確認することができる。また、その表示された状態で、当該包装テープにおける印字内容を操作者の意図する態様に変更し、その都度視覚的に確認することができる。この結果、実際に包装テープを作成して包装を行うより前に包装後の姿を確認することができるので、操作者の利便性を向上することができる。
【発明の効果】
【００１１】
本発明によれば、実際に包装テープを作成して包装を行うより前に包装後の姿を視覚的に確認でき、操作者の利便性を向上することができる。
【図面の簡単な説明】
【００１２】
【図１】本発明の一実施の形態に係わる印字テープ作成システムの全体構成を模式的に表すシステム構成図である。
【図２】操作端末及び印字装置の構成を模式的に表すブロック図である。
【図３】被印字テープの包装対象である箱体の外観の一例、印字形成後の被印字テープの外観の一例、及び、印字形成後の被印字テープによって包装された箱体の外観の一例を表す説明図である。
【図４】操作端末の表示部に表示された、形状選択画面、及び、各部寸法入力画面を表す説明図である。
【図５】操作端末の表示部に表示された、包装方法選択画面、及び、包装予想レイアウトプレビュー画面を表す説明図である。
【図６】操作端末の表示部に表示された、包装予想レイアウトプレビュー画面、及び、テキスト入力画面を表す説明図である。
【図７】操作端末の表示部に表示された、テキスト入力画面、及び、包装イメージプレビュー画面を表す説明図である。
【図８】操作端末の表示部に表示された、包装イメージプレビュー画面の別の例を表す説明図である。
【図９】操作端末のＣＰＵが実行する制御手順を表すフローチャートである。
【図１０】印字装置の制御回路が実行する印字作成処理の詳細手順を表すフローチャートである。
【図１１】テンプレートを用いて被印字テープの印字内容を決定する変形例において操作端末の表示部に表示された、形状選択画面、及び、各部寸法入力画面を表す説明図である。
【図１２】操作端末の表示部に表示された、包装方法選択画面、及び、包装予想レイアウトプレビュー画面を表す説明図である。
【図１３】操作端末の表示部に表示された、包装予想レイアウトプレビュー画面、及び、テンプレート選択画面を表す説明図である。
【図１４】操作端末の表示部に表示された、テンプレート選択画面、及び、包装イメージプレビュー画面を表す説明図である。
【図１５】操作端末の表示部に表示された、包装イメージプレビュー画面の別の例を表す説明図である。
【図１６】操作端末のＣＰＵが実行する制御手順を表すフローチャートである。
【発明を実施するための形態】
【００１３】
以下、本発明の一実施の形態を図面を参照しつつ説明する。
【００１４】
＜印字テープ作成システムの全体構成＞
まず、図１を参照しつつ、本実施形態に係わる印字テープ作成システムの全体構成を説明する。
【００１５】
図１に示すように、印字テープ作成システム１は、操作端末２と、印字装置３とを有する。操作端末２と印字装置３とは、相互通信可能に接続されている。
【００１６】
操作端末２は、詳細を後述する本実施形態の包装表示プログラムに基づき、印字装置３により作成される印字テープの印字内容の編集操作を実行可能に構成される。操作端末２としては、操作者が操作可能な端末であれば特に限定されるものではなく、例えば、汎用ＰＣやタブレットＰＣ、ＰＤＡ、多機能携帯電話等が使用可能である。図１に示す例では、操作端末２として汎用ＰＣを使用した場合を示している。
【００１７】
印字装置３は、操作者による操作端末２を介した適宜の操作に基づき、所望の印字を備えた印字テープの作成を行う。作成された印字テープは包装対象物（詳細は後述）を包装する。
【００１８】
＜操作端末及び印字装置の機能構成＞
次に、図２を参照しつつ、操作端末２及び印字装置３の構成を説明する。
【００１９】
図２に示すように、操作端末２は、ＣＰＵ１２（演算手段に相当）と、例えばＲＯＭやＲＡＭ等からなるメモリ１３と、各種操作が可能な操作部１４と、各種表示を行う表示部１７（表示手段に相当）と、各種情報を記憶する記憶装置１６と、印字装置３との間での各種情報・指示信号の授受の制御を行う通信制御部１５とを有する。この操作端末２は、後述する被印字テープＴ（包装テープに相当）の印字内容の編集操作を実行する。
【００２０】
ＣＰＵ１２は、ＲＡＭの一時記憶機能を利用しつつＲＯＭ又は記憶装置１６に予め記憶されたプログラム（後述の図９に示すフローを実行する包装表示プログラム等）に従って信号処理を行うことで、操作端末２全体の制御を行う。例えば、ＣＰＵ１２は、通信制御部１５を介して印字装置３との間で各種情報・指示信号の送受を行う。
【００２１】
印字装置３は、テープロールホルダ部２１０と、搬送装置２０９と、印字ヘッド２０５と、制御回路２０２と、各種操作が可能な操作部２０６と、各種表示を行う表示部２１１と、各種情報を記憶する記憶装置２０１と、操作端末２との間での各種情報・指示信号の授受の制御を行う通信制御部２０８とを有する。
【００２２】
テープロールホルダ部２１０は、被印字テープＴを巻回した（本来は渦巻き状であるが簡略化して同心円で図示する）テープロール２０４を着脱可能（又はテープロール２０４を備えたカートリッジを着脱可能）となっている。
【００２３】
搬送装置２０９は、テープロール２０４に巻回された被印字テープＴを搬送する。
【００２４】
印字ヘッド２０５は、搬送装置２０９に対向して設けられ、搬送装置２０９によりテープロール２０４から繰り出されて搬送される被印字テープＴに対し所望の印字Ｒ（後述の図３等）を繰り返して形成する。印字済みの被印字テープＴは、テープロール２０４Ａに巻き取られる。
【００２５】
制御回路２０２は、図示しないＲＡＭの一時記憶機能を利用しつつ図示しないＲＯＭ又は記憶装置２０１に予め記憶されたプログラム（後述の図１０に示すフローを実行する印字処理プログラム等）に従って信号処理を行うことで、印字装置３全体の制御を行う。例えば、制御回路２０２は、通信制御部２０８を介して操作端末２との間で各種情報・指示信号の送受を行う。
【００２６】
＜被印字テープによる包装＞
上記のようにして印字が形成された被印字テープＴによる包装の手法について、図３（ａ）〜（ｃ）により説明する。
【００２７】
図３（ａ）は被印字テープＴによって包装される包装対象物の一例である、箱体Ｐ１を示している。この箱体Ｐ１は、互いに平行な左面Ｐｌ及び右面Ｐｒと、それら左右面Ｐｌ，Ｐｒに略直交する互いに平行な上面Ｐｕ及び下面Ｐｄと、左右面Ｐｌ，Ｐｒと上下面Ｐｕ，Ｐｄとに略直交する互いに平行な前面Ｐｆ及び後面Ｐｂと、を含む、略直方体の外形を備えている。
【００２８】
一方、上記箱体Ｐ１を包装するために上述のようにして作成された、印字済みの被印字テープＴの一例（但し、所定の長さに切断済み）を図３（ｂ）に示す。図３（ｂ）では、被印字テープＴにおいてテープ長手方向に配列される少なくとも１つ（この例では３つ）のブロックＢＬ１，ＢＬ２，ＢＬ３それぞれに、印字Ｒが形成されている。
【００２９】
それらのうち、テープ長手方向の両端側の２つのブロックＢＬ１，ＢＬ３には、「Ｉ  Ｌｏｖｅ」の印字Ｒと「Ｙｏｕ」の印字Ｒとがそれぞれ形成されている。これら２つのブロックＢＬ１，ＢＬ３のテキスト文字の向きは、ともに、テキストの上下方向がテープ幅方向（図示の縦向き）となっている。一方、テープ長手方向における中間部のブロックＢＬ２には、ハート形のシンボルからなる印字Ｒが複数個形成されている。各シンボルの向きは、シンボルの上下方向がテープ長さ方向（図示の横向き）となっている。
【００３０】
そして、上記被印字テープＴにより箱体Ｐ１の包装が行われた状態では、図３（ｃ）に示すように、例えば、上記箱体Ｐ１の上面Ｐｕ→右面Ｐｒ→下面Ｐｄ→左面Ｐｌ→上面Ｐｕの順で巻回された後、さらに、上面Ｐｕ→前面Ｐｆ→下面Ｐｄ→後面Ｐｂ→上面Ｐｕの順でクロス状に巻回され、最後に上面Ｐｕにおいてリボン結びで結ばれる。このような包装が行われたとき、リボンの両端部位に上記「Ｉ  Ｌｏｖｅ」の印字Ｒと「Ｙｏｕ」の印字Ｒとがそれぞれ位置し、前面Ｐｆに上記ハート形のシンボルの印字Ｒが位置するように、上記各ブロックＢＬ１，ＢＬ２，ＢＬ３が予め位置決め設定されている。
【００３１】
＜本実施形態の特徴＞
本実施形態の最大の特徴は、上記のようにして実際に被印字テープＴを用いて包装対象物（上記の例では箱体Ｐ１）の包装を行うより前に、当該包装を行った後の包装対象物の視覚的な外観イメージを仮想的に３次元描画し、操作端末２の表示部１７に（印字内容を編集可能としつつ）表示することにある。以下、その詳細を順を追って説明する。
【００３２】
すなわち、本実施形態では、まず最初に、操作端末２の表示部１７において、図４（ａ）に示す形状選択画面１７Ａが表示される。この形状選択画面１７Ａでは、上側に「包装対象物の形状を選んでください。」のメッセージボックス１８Ａが表示されるとともに、その下方に、箱型の包装対象物を表すイメージボックス１９Ａと、筒型の包装対象物を表すイメージボックス１９Ｂと、がそれぞれ表示される。
【００３３】
その後、例えば、操作者が、上記操作部１４（又は図示しないマウス等でもよい）の操作を介し箱型のイメージボックス１９ＡにカーソルＫを合わせて選択を行うと、図４（ｂ）に示すように、表示部１７に、上記箱型の包装対象物に対応した、各部寸法入力画面１７Ｂが表示される。この各部寸法入力画面１７Ｂでは、上記形状選択画面１７Ａと同様の、箱型の包装対象物を表すイメージボックス１９Ａ、及び、筒型の包装対象物を表すイメージボックス１９Ｂ（但しこの例では選択されなかったことからグレイアウトされている）に加え、上側に上記メッセージボックス１８Ａに代わる「各部寸法を入力してください。」のメッセージボックス１８Ｂが表示される。さらに、その下方には、上記選択した箱形の包装対象物の幅寸法記入欄Ｗ、高さ寸法記入欄Ｈ、奥行寸法記入欄Ｄをそれぞれ含む、寸法入力ボックス２０Ａが表示される。
【００３４】
操作者が、上記操作部１４の操作を介して上記幅寸法記入欄Ｗ、高さ寸法記入欄Ｈ、奥行寸法記入欄Ｄそれぞれに各部寸法を入力し、さらに操作部１４（又は図示しないマウス等でもよい）の適宜の操作を行うと、図５（ａ）に示すように、表示部１７に、上記箱形の包装対象物に対応した包装方法選択画面１７Ｃが表示される。この包装方法選択画面１７Ｃでは、上側に「包装方法を選んでください。」のメッセージボックス１８Ｃが表示される。また、その下側に、例えばリボン結びを用いた包装態様を表す「リボン」ボタン２１Ａと、縦横に直交するように外周を一周させて梱包するような包装態様を表す「梱包」ボタン２１Ｂと、筒の曲面に沿って一周させる包装態様を表す「一周巻き」ボタン２１Ｃとが、それぞれ表示される。
【００３５】
その後、例えば、操作者が、図５（ａ）に示すように、上記操作部１４（又は図示しないマウス等でもよい）の操作を介し「リボン」ボタン２１ＡにカーソルＫを合わせて選択を行うと、図５（ｂ）に示すように、表示部１７に、包装予想レイアウトプレビュー画面１７Ｄが表示される。この包装予想レイアウトプレビュー画面１７Ｄでは、箱形の包装対象物（すなわち上記箱体Ｐ１）が、被印字テープＴ（但し未印字の状態）によってリボン状に包装された状態で３次元描画され、プレビュー表示される。
【００３６】
その後、例えば、操作者が、上記操作部１４（又は図示しないマウス等でもよい）の操作を介しカーソルＫを動かして、図６（ａ）に示すように、包装予想レイアウトプレビュー画面１７Ｄに表示された被印字テープＴ上において予め定められた少なくとも１つの印字可能部位（この例では、被印字テープＴのリボン結びの左端部の上記ブロックＢＬ１に相当する部位）にカーソルＫを合わせる。すると、図６（ｂ）に示すように、表示部１７に、テキスト入力画面１７Ｅが表示される。このテキスト入力画面１７Ｅでは、上記包装予想レイアウトプレビュー画面１７Ｄと同様の、箱体Ｐ１が被印字テープＴによってリボン状に包装された状態のプレビュー表示に加え、上記カーソルＫが合わされた印字可能部位から左上側へ伸びる直線を介して接続された、テキスト入力ボックス２２Ａが表示される。これにより、操作者は、上記操作部１４の操作を介して、上記テキスト入力ボックス２２Ａに所望のテキスト文字を入力可能となる（図示の例では「Ｉ  Ｌｏｖｅ」というテキスト文字の入力途中の状態を示している）。
【００３７】
その後、上記同様の操作が繰り返されることで、上記テキスト入力画面１７Ｅにおける、すべての印字可能部位に対応したテキスト入力ボックス（この例では、上記テキスト入力ボックス２２Ａと、被印字テープＴのリボン結びの右端部の上記ブロックＢＬ３に相当する部位に対応したテキスト入力ボックス２２Ｃと、被印字テープＴのリボン結びの下方で上記箱体Ｐ１の前面Ｐｆに巻回される上記ブロックＢＬ２に相当する部位に対応したテキスト入力ボックス２２Ｂ）に対し、上記操作部１４の操作を介して所望のテキスト文字等（この例では「Ｉ  Ｌｏｖｅ」のテキスト文字、「ｙｏｕ」のテキスト文字、ハート型のシンボル）の入力が完了する。その後、図７（ｂ）に示すように、表示部１７に、包装イメージプレビュー画面１７Ｆが表示される。この包装イメージプレビュー画面１７Ｆでは、上記包装予想レイアウトプレビュー画面１７Ｄと同様のプレビュー表示に加え、プレビューされた被印字テープＴの全ての上記印字可能部位に、対応するテキスト入力ボックスの入力結果に対応して形成された印字内容（「Ｉ  Ｌｏｖｅ」の印字Ｒ、「ｙｏｕ」の印字Ｒ、ハート型のシンボルの印字Ｒ）が併せて３次元描画され、プレビュー表示される。言い換えれば、包装イメージプレビュー画面１７Ｆでは、印字形成後の被印字テープＴによる包装イメージが、３次元描画によりプレビュー表示される。また、その右下側には「印刷」ボタン２３Ａ及び「キャンセル」ボタン２３Ｂが表示される。なお、図７（ｂ）では、すべてのテキスト入力ボックス２２Ａ，２２Ｂ，２２Ｃの入力が完了した後における、印字形成後の被印字テープＴによる包装イメージのプレビュー表示を示しているが、実際には、各テキスト入力ボックスの入力完了ごとに、包装イメージのプレビュー表示が行われる。すなわち、上記の例では、テキスト入力ボックス２２Ａでの入力が完了したら、「Ｉ  Ｌｏｖｅ」の印字Ｒが形成された後の被印字テープＴによる包装イメージが包装イメージプレビュー画面１７Ｆでプレビュー表示され、さらにテキスト入力ボックス２２Ｃでの入力が完了したら、「Ｉ  Ｌｏｖｅ」の印字Ｒと「ｙｏｕ」の印字Ｒとが形成された後の被印字テープＴによる包装イメージが包装イメージプレビュー画面１７Ｆでプレビュー表示され、さらにテキスト入力ボックス２２Ｂでの入力が完了したら、「Ｉ  Ｌｏｖｅ」の印字Ｒと「ｙｏｕ」の印字Ｒとハート型のシンボルの印字Ｒとが形成された後の被印字テープＴによる包装イメージが包装イメージプレビュー画面１７Ｆでプレビュー表示される（図７（ｂ）参照）。
【００３８】
操作者は、上記のように包装イメージプレビュー画面１７Ｆにおいてプレビュー表示されている包装イメージを確認し、ＯＫ（この包装イメージで印字を実行する）であれば、印刷ボタン２３Ａを押す。これにより、この包装イメージプレビュー画面１７Ｆにおける上記プレビュー状態に対応した印字内容を印字形成するための印字データが、操作端末２から印字装置３へ送信され、被印字テープＴに対する当該印字形成が実行される。一方、上記包装イメージが操作者の意図するものと異なる（修正等を行いたい）場合は、操作者は、キャンセルボタン２３Ｂを押す。これにより、図４に示した形状選択画面１７Ａの表示状態に戻り、上述の操作を最初からやり直すことができる。
【００３９】
なお、上記包装イメージプレビュー画面１７Ｆにおいて、図８に示すように、被印字テープＴによる箱体Ｐ１の包装イメージのプレビュー表示のみならず、当該包装において使用されている（印字形成後の）被印字テープＴ単体の姿を併せて表示しても良い。この場合、上述のようにして印字形成後の被印字テープＴが箱体Ｐ１を包装した姿に加え、長さ方向に平面状に伸ばされた状態の（印字形成後の）被印字テープＴの姿を、操作者が併せて視覚的に確認することができる。この結果、さらに利便性を向上することができる。
【００４０】
＜操作端末のＣＰＵが実行する制御内容＞
次に、図９を参照しつつ、上記の手法を実現するために操作端末２のＣＰＵ１２が実行する制御手順を説明する。このフローに示す処理は、上述したように、操作端末２に備えられたＲＯＭ又は記憶装置１６に予め記憶された、本実施形態の表示処理プログラムに従って実行される。
【００４１】
まず、ステップＳ１０で、ＣＰＵ１２は、表示部１７に表示信号を出力して上記形状選択画面１７Ａを表示させると共に、この表示に対応した操作者による操作部１４での操作入力に基づき、包装対象物の形状の指定を受付ける。指定すべき形状の分類は、この例では、前述の図４（ａ）に示す箱型（上述の箱体Ｐ１が対応する）、及び、筒型（後述の変形例の筒体Ｐ２が対応する）が用意されている。操作者が操作部１４を用いてこれらのうちいずれかを指定すると、ＣＰＵ１２がその指定情報を受け付けて取得する。
【００４２】
その後、ステップＳ２０で、ＣＰＵ１２は、表示部１７に表示信号を出力して上記各部寸法入力画面１７Ｂを表示させると共に、この表示に対応した操作者による操作部１４での操作入力に基づき、包装対象物の寸法の指定を受付ける。指定すべき寸法は、上記ステップＳ１０で「箱型」が選択された場合には、図４（ｂ）に示したように、略直方体の外形に対応した、巾寸法（幅寸法記入欄Ｗに入力）、高さ寸法（高さ寸法記入欄Ｈに入力）、奥行寸法（奥行き寸法記入欄Ｄに入力）の３つがあり、これらの指定が受け付けられる。一方、ステップＳ１０で「筒型」が選択された場合には、後述の図１１（ｂ）に示すように、直径寸法（直径寸法記入欄記入欄Ｌに入力）、高さ寸法（高さ寸法記入欄Ｈに入力）の２つがあり、これらの指定が受け付けられる。操作者が操作部１４を用いてこれらの各寸法を指定すると、ＣＰＵ１２がその指定情報を受け付けて取得する。なお、上記ステップＳ１０及びステップＳ２０が、各請求項記載の形状寸法受付手順に相当する。なお、上記のように、各部寸法の具体的数値を操作入力するのに代え、例えば大・中・小等のように予め用意されたおおざっぱな分類を操作部１４を用いて選択するようにしてもよい。
【００４３】
そして、ステップＳ３０で、ＣＰＵ１２は、表示部１７に表示信号を出力して上記包装方法選択画面１７Ｃを表示させると共に、この表示に対応した操作者による操作部１４での操作入力に基づき、包装方法（包装態様）の指定を受付ける。指定可能な包装方法に対応して、この例では、上記図５（ｂ）に示したようなリボン結びを用いた包装（図５（ａ）の上記「リボン」ボタン２１Ａが対応）と、縦横に直交するように外周を一周させて梱包するような包装（図５（ａ）の上記「梱包」ボタン２１Ｂが対応）と、円筒の外周の曲面に沿って一周させる包装（後述の図１２（ｂ）参照。図５（ａ）の上記「一周巻き」ボタン２１Ｃが対応）と、が用意されている。操作者が上記ボタン２１Ａ，２１Ｂ，２１Ｃにより上記のうちいずれかを指定すると、ＣＰＵ１２がその指定情報を受け付けて取得する。なお、このステップＳ３０が、各請求項記載の態様指定受付手順に相当する。
【００４４】
その後、ステップＳ４０で、ＣＰＵ１２は、上記ステップＳ１０で指定された外形形状とステップＳ２０で指定された寸法とを備えた包装対象物を、上記ステップＳ３０で指定された包装態様の被印字テープＴで包装した外観イメージを３次元描画し、対応する表示信号を表示部１７に出力する。これにより、表示部１７では、上記包装予想レイアウトプレビュー画面１７Ｄにおいて、包装物が被印字テープＴで包装された状態（テープによるラッピング状態）で、３次元的に仮想的にプレビュー表示される（上記図５（ｂ）参照）。これにより、操作者は、まず、包装対象物を被印字テープＴ（但し印字がまだなされていない状態）で包装した姿を、視覚的に認識して確認することができる。なお、このステップＳ４０が、各請求項記載の第１イメージ表示手順に相当する。
【００４５】
その後、ステップＳ５０で、ＣＰＵ１２は、操作者の操作部１４を用いたカーソルＫの操作により、ステップＳ４０でプレビュー表示された被印字テープＴのうちの予め定められた上記印刷可能部位（上記図６（ａ）、図６（ｂ）、図７（ａ）の例では、リボン結びの左端部の上記ブロックＢＬ１に相当する部位、リボン結びの右端部の上記ブロックＢＬ３に相当する部位、リボン結びの下方の上記ブロックＢＬ２に相当する部位）に当該カーソルＫが合ったか否かを判定する。上記印刷可能部位にカーソルＫが合わない場合には、ステップＳ５０の判定は満たされず（Ｓ５０：ＮＯ）、ステップＳ４０に戻って同じ手順を繰り返す。一方、印刷可能部位にカーソルＫが合った場合には、ステップＳ５０の判定が満たされて（Ｓ５０：ＹＥＳ）、ステップＳ６０に移る。
【００４６】
ステップＳ６０では、ＣＰＵ１２は、表示部１７に表示信号を出力して、（上記カーソルＫの位置に対応した上記テキスト入力ボックス２２Ａ〜２２Ｃ等を含む）上記テキスト入力画面１７Ｅを表示させる。これにより、操作者は、操作部１４を介し、当該テキスト入力ボックス２２Ａ〜２２Ｃ等に所望のテキスト文字の入力が可能となる。
【００４７】
その後、ステップＳ７０で、ＣＰＵ１２は、上記表示したテキスト入力ボックス２２Ａ〜２２Ｃ等に対する（言い換えれば、上記ブロックＢＬ１〜ＢＬ３等に対する）、操作部１４を用いた操作者による所望のテキスト文字の入力を受付ける。なお、テキスト文字に限られず、図像やシンボル等、他の印字オブジェクトを入力できるようにしてもよい。このステップＳ７０が、各請求項記載の印字内容受付手順に相当する。なお、このテキスト文字等の入力内容は、後述のステップＳ１００での判定が満たされずステップＳ４０に戻るときに再度このステップＳ７０が実行されることから、当該入力内容を変更したり修正したり等（すなわち、入力のやり直し）が可能である。
【００４８】
その後、ステップＳ８０で、ＣＰＵ１２は、上記ステップＳ１０〜ステップＳ３０での指定に基づくステップＳ４０でのプレビュー表示内容と、上記ステップＳ７０で受け付けた印字オブジェクト（上記の例ではテキスト文字。以下同様）の入力内容とに基づき、上記包装予想レイアウトプレビュー画面１７Ｄで表示された被印字テープＴ上に上記テキスト文字の３次元描画画像を重畳してプレビュー表示するための各種設定（言い換えれば、実際に被印字テープＴに上記テキスト文字を印字形成するときの印字に係わる各種設定）を決定する。具体的には、例えば、被印字テープＴ上に設定される上記ブロックＢＬ１，ＢＬ２，ＢＬ３の位置、当該ブロックＢＬ１〜ＢＬ３内における上記テキスト文字の印字形成位置、テキスト文字を印字形成するときの印字方向（搬送方向であるか、搬送方向に直交する方向であるか等）、印字のフォントサイズ等、のうちの少なくとも１つである。なお、このステップＳ８０が、各請求項記載のオブジェクト設定決定手順に相当する。
【００４９】
その後、ステップＳ９０で、ＣＰＵ１２は、上記ステップＳ８０での設定結果に基づき、表示部１７に表示信号を出力して、被印字テープＴによる包装イメージのプレビュー表示を含む上記包装イメージプレビュー画面１７Ｆを表示させる。この包装イメージプレビュー画面１７Ｆでは、（既に包装予想レイアウトプレビュー画面１７Ｄやテキスト入力画面１７Ｅで３次元描画され表示されている）上記包装対象物を包装した被印字テープＴ上に、上記ステップＳ８０で決定された各種設定に基づき形成されるテキスト文字の外観イメージが、さらに重畳して仮想的に３次元描画されている。これにより、操作者は、所望の印字がなされた被印字テープＴを用いて包装対象物を包装した姿を、視覚的に認識して確認することができる。なお、このステップＳ９０が、各請求項記載の第２イメージ表示手順に相当する。
【００５０】
そして、ステップＳ１００で、ＣＰＵ１２は、操作部１４を介し、全てのテキスト文字入力を終了した旨（図６（ａ）において予め用意された少なくとも１つの印字可能部位のうち、操作者が印字形成したいと意図するすべての印字可能部位に対するテキスト文字入力が終了した旨）の操作者の適宜の操作があったか否かを判定する。上記テキスト文字入力終了の旨の操作がなかった場合には、ステップＳ１００の判定は満たされず（Ｓ１００：ＮＯ）、ステップＳ４０に戻って同じ手順を繰り返す。一方、上記テキスト文字入力終了の旨の操作があった場合には、ステップＳ１００の判定が満たされて（Ｓ１００：ＹＥＳ）、ステップＳ１１０に移る。
【００５１】
ステップＳ１１０では、ＣＰＵ１２は、操作者の上記「印刷」ボタン２３Ａ（図７（ｂ）参照）の操作による印刷開始の指示があったか否かを判定する。印刷開始の指示がない場合には、ステップＳ１１０の判定は満たされず（Ｓ１１０：ＮＯ）、ステップＳ１１０の判定が満たされるまでループ待機する。一方、印刷開始の指示があった場合には、ステップＳ１１０の判定が満たされて（Ｓ１１０：ＹＥＳ）、ステップＳ１２０に移る。
【００５２】
ステップＳ１２０では、ＣＰＵ１２は、ステップＳ９０で表示された被印字テープＴの包装イメージに基づき、当該被印字テープＴに対する印字内容（前述の例ではブロックＢＬ１，ＢＬ２，ＢＬ３それぞれに対する「Ｉ  Ｌｏｖｅ」のテキスト文字、「ｙｏｕ」のテキスト文字、ハート型のシンボル）に対応した印字データを生成する。
【００５３】
その後、ステップＳ１３０で、ＣＰＵ１２は、上記ステップＳ１２０で生成された印字データを上記通信制御部１５を介して印字装置３に出力する。その後、このフローを終了する。
【００５４】
＜印字装置の制御回路が実行する制御内容＞
次に、図１０を参照しつつ、印字装置３の上記制御回路２０２が実行する印字作成処理の詳細手順を説明する。図９において、このフローに示す処理は、例えば印字装置３の電源がオンされたことを契機に開始される。
【００５５】
まずステップＳ２００で、制御回路２０２は、上記ステップＳ１３０で出力された操作端末２からの印字データを受信したか否かを判定する。受信されない場合には、ステップＳ２００の判定は満たされず（Ｓ２００：ＮＯ）、ステップＳ２００の判定が満たされるまでループ待機する。一方、受信された場合には、ステップＳ２００の判定が満たされて（Ｓ２００：ＹＥＳ）、ステップＳ２１０に移る。なお、この受信された印字データは、図示しないＲＡＭ又は上記記憶装置２０１に一時記憶される。
【００５６】
そして、ステップＳ２１０で、制御回路２０２は、搬送装置２０９に制御信号を出力し、被印字テープＴの搬送を開始させる。
【００５７】
その後、ステップＳ２２０に移り、制御回路２０２は、上記ステップＳ２００で受信された上記印字データに基づき、被印字テープＴの搬送方向位置が所定の印字開始位置に達したか否かを公知の手法で判定する。印字開始位置に達するまでは、ステップＳ２２０の判定が満たされず（Ｓ２２０：ＮＯ）、上記ステップＳ２１０に戻り同様の手順を繰り返す。印字開始位置に達したら、ステップＳ２２０の判定が満たされて（Ｓ２２０：ＹＥＳ）、ステップＳ２３０に移る。
【００５８】
ステップＳ２３０では、制御回路２０２は、印字ヘッド２０５に制御信号を出力し、上記ステップＳ２００で受信した印字データの被印字テープＴへの印字を開始する。
【００５９】
そして、ステップＳ２４０で、制御回路２０２は、上記ステップＳ２００で受信された上記印字データに基づき、被印字テープＴの搬送方向位置が所定の印字終了位置に達したか否かを公知の手法で判定する。印字終了位置に達するまでは、ステップＳ２４０の判定は満たされず（Ｓ２４０：ＮＯ）、ループ待機する。印字終了位置に達したら、ステップＳ２４０の判定が満たされて（Ｓ２４０：ＹＥＳ）、ステップＳ２５０に移る。
【００６０】
ステップＳ２５０では、制御回路２０２は、印字ヘッド２０５に制御信号を出力し、被印字テープＴへの印字を終了させる。
【００６１】
その後、ステップＳ２７０で、制御回路２０２は、搬送装置２０９に制御信号を出力し、被印字テープＴの搬送を停止させる。その後、このフローに示す処理を終了する。これにより、上記印字形成され搬送が停止された被印字テープＴを適宜の部位で切断して取り出すことで、上記包装対象物の包装を前述した態様（上記ステップＳ３０参照）で実行することができる。
【００６２】
＜本実施形態の効果＞
以上説明したように、本実施形態では、操作者は、印字された被印字テープＴで包装対象物（箱体Ｐ１）を包装した姿を、（上記包装イメージプレビュー画面１７Ｆにおいて）仮想的な３次元描画によって視覚的に確認することができる。また、その表示された状態で、当該被印字テープＴにおける印字内容を操作者の意図する態様に変更し、その都度視覚的に確認することができる（上記図９のステップＳ１００から戻って実行されるステップＳ４０〜ステップＳ９０参照）。この結果、実際に被印字テープＴを作成して包装を行うより前に、包装後の姿を確認することができるので、操作者の利便性を向上することができる。
【００６３】
また、本実施形態では特に、箱体Ｐ１が被印字テープＴによってリボン状に包装された状態のプレビュー表示がなされた状態において、操作者は、テキスト入力ボックス２２Ａ〜２２Ｃにより、各ブロックＢＬ１，ＢＬ２，ＢＬ３内に配置するテキスト文字等の入力を行う。これにより、操作者は、自らが入力した所望の印字オブジェクト（上記の例ではテキスト文字）が被印字テープＴに印字形成され、その被印字テープＴによって箱体Ｐ１が包装された姿を、仮想的な３次元描画によって視覚的に確認することができる。
【００６４】
なお、本発明は、上記した本実施形態に限られるものではなく、その趣旨及び技術的思想を逸脱しない範囲内で種々の変形が可能である。以下にそのような変形例を説明する。
【００６５】
（１）テンプレートを用いて被印字テープの印字内容を決定する場合
上記実施形態では、操作者が、テキスト入力ボックス２２Ａ，２２Ｂ，２２Ｃに任意のテキスト文字を自由入力することで被印字テープＴの印字内容を決定したが、これに限られない。すなわち、本変形例では、予め印字内容が固定的にそれぞれ決定された複数種類のテンプレートが準備されており、操作者がそれらのうちいずれかを選択することで、被印字テープＴの印字内容が決定される。
【００６６】
以下、本変形例の手法の詳細を、上記実施形態の図４〜図８にそれぞれ相当する、図１１〜図１５により説明する。上記実施形態と同等の部分には同一の符号を付し、適宜説明を省略又は簡略化する。なお、本変形例では、筒型の包装対象物が包装される場合を例にとって以下説明する。まず最初に、本変形例では、上記実施形態と同様、図１１（ａ）に示すように、操作端末２の表示部１７において、図４（ａ）に示す形状選択画面１７Ａが表示される。操作者が、上記操作部１４（又は図示しないマウス等でもよい）の操作を介し、上記筒型のイメージボックス１９ＢにカーソルＫを合わせて選択を行うと、図１１（ｂ）に示すように、表示部１７に、上記筒型の包装対象物に対応した、上記各部寸法入力画面１７Ｂが表示される。この各部寸法入力画面１７Ｂでは、上記選択した筒型の包装対象物の直径寸法記入欄Ｌ、高さ寸法記入欄Ｈをそれぞれ含む、寸法入力ボックス２０Ａ′が表示される。
【００６７】
操作者が、上記操作部１４の操作を介して上記直径寸法記入欄Ｌ、高さ寸法記入欄Ｈにそれぞれ各部寸法を入力し、さらに操作部１４（又は図示しないマウス等でもよい）の適宜の操作を行うと、図１２（ａ）に示すように、表示部１７に上記筒型の包装対象物に対応した包装方法選択画面１７Ｃが表示される。この包装方法選択画面１７Ｃは、上記図５（ａ）と同様、「リボン」ボタン２１Ａ、「梱包」ボタン２１Ｂ、「一周巻き」ボタン２１Ｃがそれぞれ表示される。
【００６８】
そして、例えば、操作者が、図５（ａ）に示すように、上記操作部１４（又は図示しないマウス等でもよい）の操作を介し「一周巻き」ボタン２１ＣにカーソルＫを合わせて選択を行うと、図１２（ｂ）に示すように、表示部１７に、包装予想レイアウトプレビュー画面１７Ｄが表示される。この包装予想レイアウトプレビュー画面１７Ｄでは、筒形の包装対象物（すなわち箱体Ｐ２）が、被印字テープＴ（但し未印字の状態）によってその曲面状の外周部を周方向に沿って一周巻き状に包装された状態で３次元描画され、プレビュー表示される。
【００６９】
その後、例えば、操作者が、上記操作部１４（又は図示しないマウス等でもよい）の操作を介しカーソルＫを動かして、図１３（ａ）に示すように、包装予想レイアウトプレビュー画面１７Ｄに表示された被印字テープＴ上において予め定められた少なくとも１つの印字可能部位（この例では、被印字テープＴの一方側の端部近傍のブロックＢＬ１に相当する部位の１カ所）にカーソルＫを合わせる。すると、図１３（ｂ）に示すように、表示部１７に、テンプレート選択画面１７Ｅ′が表示される。このテンプレート選択画面１７Ｅ′では、上記包装予想レイアウトプレビュー画面１７Ｄと同様の、筒体Ｐ２が被印字テープＴによって一周巻き状に包装された状態のプレビュー表示に加え、上記カーソルＫが合わされた印字可能部位から左側へ伸びる直線を介して接続された、テンプレート選択ボックス２２Ａ′が表示される。このテンプレート選択ボックス２２Ａ′には、予め用意され記憶装置１６内に記憶された複数のテンプレート（定型印字）が、例えばスクロールにより一覧可能に表示される。この例では、「→ここからはがす・・」のテンプレートＴＰ１、「取扱注意！・・」のテンプレートＴＰ２、「☆☆☆☆（星型）・・」のテンプレートＴＰ３、等が、選択可能に表示される。
【００７０】
その後、例えば、操作者が、上記操作部１４（又は図示しないマウス等でもよい）の操作を介しカーソルＫを動かして、図１４（ａ）に示すように、「→ここからはがす」のテンプレートＴＰ１を選択すると、自動的に被印字テープＴの左端のブロックＢＬ１に相当する部位に当該テンプレートＴＰ１の「→ここからはがす」の印字内容が挿入され入力される。すなわち、図１４（ｂ）に示すように、表示部１７に、包装イメージプレビュー画面１７Ｆが表示される。この包装イメージプレビュー画面１７Ｆでは、上記包装予想レイアウトプレビュー画面１７Ｄと同様のプレビュー表示に加え、プレビューされた被印字テープＴの全ての上記印字可能部位に、対応するテンプレート選択ボックスの選択結果に対応して形成された印字内容（上記の例では「→ここからはがす」の印字Ｒ）が併せて３次元描画され、プレビュー表示される。言い換えれば、包装イメージプレビュー画面１７Ｆでは、印字形成後の被印字テープＴによる包装イメージが、３次元描画によりプレビュー表示される。
【００７１】
操作者は、上記のように包装イメージプレビュー画面１７Ｆにおいてプレビュー表示されている包装イメージを確認し、ＯＫ（この包装イメージで印字を実行する）であれば、印刷ボタン２３Ａを押す。これにより、前述と同様、この包装イメージプレビュー画面１７Ｆにおける上記プレビュー状態に対応した印字内容を印字形成するための印字データが、操作端末２から印字装置３へ送信され、被印字テープＴに対する当該印字形成が実行される。一方、上記包装イメージが操作者の意図するものと異なる（修正等を行いたい）場合は、操作者は、キャンセルボタン２３Ｂを押す。これにより、図１１に示した形状選択画面１７Ａの表示状態に戻り、上述の操作を最初からやり直すことができる。
【００７２】
なお、上記包装イメージプレビュー画面１７Ｆにおいて、前述の図８と同様、図１５に示すように、被印字テープＴによる筒体Ｐ２の包装イメージのプレビュー表示のみならず、当該包装において使用されている（印字形成後の）被印字テープＴ単体の姿を併せて表示してもよい。
【００７３】
＜操作端末のＣＰＵが実行する制御内容＞
次に、図１６を参照しつつ、上記の手法を実現するために本変形例における操作端末２のＣＰＵ１２が実行する制御手順を説明する。このフローに示す処理は、ＲＯＭ又は記憶装置１６に予め記憶された、上記表示処理プログラムに従って実行される。
【００７４】
図１６において、このフローでは、上記した実施形態の図９のフローにおけるステップＳ６０、ステップＳ７０、ステップＳ８０、ステップＳ１００に代えて、ステップＳ６１、ステップＳ７１、ステップＳ８１、ステップＳ１０１が設けられている。
【００７５】
すなわち、上記図９と同様のステップＳ１０〜ステップＳ５０が実行された後、ステップＳ６１で、ＣＰＵ１２は、表示部１７に表示信号を出力して、（上記カーソルＫの位置に対応した上記テンプレート選択ボックス２２Ａ′等を含む）上記テンプレート選択画面１７Ｅ′を表示させる。これにより、操作者は、操作部１４の操作により、当該テンプレート選択ボックス２２Ａ′に表示された所望のテンプレートを選択可能となる。
【００７６】
その後、ステップＳ７１で、ＣＰＵ１２は、上記テンプレート選択ボックス２２Ａ′等に対する（言い換えれば、上記ブロックＢＬ１等に対する）、操作部１４を用いた操作者による所望のテンプレートＴＰ１，ＴＰ２，ＴＰ３等の選択を受付ける。このステップＳ７１が、各請求項記載の印字内容受付手順に相当する。なお、このテンプレートの選択内容は、後述のステップＳ１００での判定が満たされずステップＳ４０に戻るときに再度このステップＳ７１が実行されることから、当該選択内容を変更したり修正したり等（すなわち、テンプレート選択のやり直し）が可能である。
【００７７】
その後、ステップＳ８１で、ＣＰＵ１２は、上記ステップＳ１０〜ステップＳ３０での指定に基づくステップＳ４０でのプレビュー表示内容と、上記ステップＳ７１で選択された印字オブジェクトの内容（上記の例ではテンプレートＴＰ１〜ＴＰ３等に含まれるテキスト文字やシンボル等。以下同様）とに基づき、上記包装予想レイアウトプレビュー画面１７Ｄで表示された被印字テープＴ上に上記テンプレート中の上記テキスト文字等の３次元描画画像を重畳してプレビュー表示するための各種設定（言い換えれば、実際に被印字テープＴに上記テキスト文字等を印字形成するときの印字に係わる各種設定）を決定する。具体的には、例えば、被印字テープＴ上に設定される上記ブロックＢＬ１の位置、当該ブロックＢＬ１内における上記テンプレートのテキスト文字の印字形成位置、当該テキスト文字を印字形成するときの印字方向（搬送方向であるか、搬送方向に直交する方向であるか等）、印字のフォントサイズ等、の少なくとも１つである。なお、このステップＳ８１が、各請求項記載のオブジェクト設定決定手順に相当する。
【００７８】
その後、上記図９と同様のステップＳ９０で、ＣＰＵ１２は、上記ステップＳ８１での設定結果に基づき、表示部１７に表示信号を出力して、被印字テープＴによる包装イメージのプレビュー表示を含む上記包装イメージプレビュー画面１７Ｆを表示させる。この包装イメージプレビュー画面１７Ｆでは、上述したように、（既に包装予想レイアウトプレビュー画面１７Ｄやテンプレート選択画面１７Ｅ′で３次元描画され表示されている）上記包装対象物を包装した被印字テープＴ上に、上記ステップＳ８１で決定された各種設定に基づき形成されるテキスト文字等の外観イメージが、さらに重畳して仮想的に３次元描画される。
【００７９】
その後、上記図９のステップＳ１００に代えて設けられたステップＳ１０１で、ＣＰＵ１２は、操作部１４を介し、全てのテンプレートの選択を終了した旨（図１３（ａ）において予め用意された少なくとも１つの印字可能部位のうち、操作者が印字形成したいと意図するすべての印字可能部位に対するテンプレートの選択が終了した旨）の操作者の適宜の操作があったか否かを判定する。上記テンプレート選択終了の旨の操作がなかった場合には、ステップＳ１０１の判定は満たされず（Ｓ１００：ＮＯ）、ステップＳ４０に戻って同じ手順を繰り返す。一方、上記テンプレート選択終了の旨の操作があった場合には、ステップＳ１０１の判定が満たされて（Ｓ１００：ＹＥＳ）、ステップＳ１１０に移る。
【００８０】
ステップＳ１１０では、上記図９と同様、ＣＰＵ１２は、操作者の上記「印刷」ボタン２３Ａ（図１４（ｂ）参照）の操作による印刷開始の指示があったか否かを判定する。印刷開始の指示がない場合には、ステップＳ１１０の判定は満たされず（Ｓ１１０：ＮＯ）、ステップＳ１１０の判定が満たされるまでループ待機する。一方、印刷開始の指示があった場合には、ステップＳ１１０の判定が満たされて（Ｓ１１０：ＹＥＳ）、ステップＳ１２０に移る。
【００８１】
ステップＳ１２０では、上記図９と同様、ＣＰＵ１２は、ステップＳ９０で表示された被印字テープＴの包装イメージに基づき、当該被印字テープＴに対する印字内容（前述の例ではブロックＢＬ１における「→ここからはがす・・」）に対応した印字データを生成する。
【００８２】
その後のステップＳ１３０は上記図９と同様であり、説明を省略する。
【００８３】
＜変形例の効果＞
本変形例においても、上記実施形態と同様、操作者は、印字された被印字テープＴで包装対象物（筒体Ｐ２）を包装した姿を、仮想的な３次元描画によって視覚的に確認することができる。また、その表示された状態で、（テンプレートＴＰ１〜３等の選択のやり直し等によって）当該被印字テープＴにおける印字内容を操作者の意図する態様に変更し、その都度視覚的に確認することができる（上記図１６のステップＳ１０１から戻って実行されるステップＳ４０〜ステップＳ９０参照）。この結果、実際に被印字テープＴを作成して包装を行うより前に、包装後の姿を確認することができるので、操作者の利便性を向上することができる。
【００８４】
また、本変形例では特に、筒体Ｐ２が被印字テープＴによって一周巻き状に包装された状態のプレビュー表示がなされた状態において、操作者は、テンプレート選択ボックス２２Ａ′により、ブロックＢＬ１内に配置するテンプレートＴＰ１〜ＴＰ３等の選択を行う。これにより、操作者は、自らが選択した所望のテンプレートに備えられた印字オブジェクト（テキスト文字やシンボル等）が被印字テープＴに印字形成され、その被印字テープＴによって筒体Ｐ２が包装された姿を、仮想的な３次元描画によって視覚的に確認することができる。
【００８５】
（２）その他
なお、以上においては、印字装置３が、所望の印字Ｒを備えた印字済みの被印字テープＴの作成を行い、当該被印字テープＴがテープロール２０４Ａに巻き取られる場合を例にとって説明したが、これに限られない。例えば、印字済みの被印字テープＴが内蔵されたカッタ機構により所望の長さに切断されて印字ラベルが作成される場合にも適用可能である。
【００８６】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００８７】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００８８】
また、図２中に示す矢印は、信号の流れの一例を示すものであり、信号の流れ方向を限定するものではない。
【００８９】
また、図９、図１０及び図１６に示すフローチャートは、本発明を図示する手順に限定するものではなく、発明の趣旨及び技術的思想を逸脱しない範囲内で手順の追加・削除又は順番の変更等をしてもよい。
【００９０】
また、以上既に述べた以外にも、上記実施形態や各変形例による手法を適宜組み合わせて利用してもよい。
【００９１】
その他、一々例示はしないが、本発明は、その趣旨を逸脱しない範囲内において、種々の変更が加えられて実施されるものである。
【符号の説明】
【００９２】
２                操作端末
１２              ＣＰＵ（演算手段）
１７              表示部（表示手段）
ＢＬ１〜３        ブロック
Ｐ１              箱体（包装対象物）
Ｐ２              筒体（包装対象物）
Ｒ                印字
Ｔ                被印字テープ（包装テープ）
【図１】
2015207204.tif 000003
【図２】
2015207204.tif 000004
【図３】
2015207204.tif 000005
【図４】
2015207204.tif 000006
【図５】
2015207204.tif 000007
【図６】
2015207204.tif 000008
【図７】
2015207204.tif 000009
【図８】
2015207204.tif 000010
【図９】
2015207204.tif 000011
【図１０】
2015207204.tif 000012
【図１１】
2015207204.tif 000013
【図１２】
2015207204.tif 000014
【図１３】
2015207204.tif 000015
【図１４】
2015207204.tif 000016
【図１５】
2015207204.tif 000017
【図１６】
2015207204.tif 000018